(57)【要約】【課題】光軸方向においてコンパクト化可能なレンズ鏡筒を提供する。【解決手段】レンズ鏡筒２０は、第１レンズ群Ｌ１と、第１直進枠１１０と、前カバー２５７と、羽根２５１〜２５３と、カムリング２５４と、を備える。第１レンズ群Ｌ１は、被写体からの光を最初に取り込む。第１直進枠１１０は、第１レンズ群Ｌ１を保持し、第１レンズ群Ｌ１の径方向外周側に形成される貫通孔１１０ｂを有する。前カバー２５７は、第１直進枠１１０の被写体側に配置され、第１レンズ群Ｌ１に対応して形成される光取込口２５７ａを有する。カムリング２５４は、第１レンズ群Ｌ１を正面視した場合に、光取込口２５７ａの内側において貫通孔１１０ｂを覆っている。【選択図】図１１
2015083996.tif 000002
【特許請求の範囲】
【請求項１】
被写体からの光を最初に取り込む少なくとも１枚のレンズと、
前記レンズを保持し、前記レンズの外周側に形成される少なくとも１つの貫通孔を有する円筒状のレンズ保持枠と、
前記レンズ保持枠の被写体側に配置され、前記レンズに対応して形成される光取込口を有する前枠と、
前記レンズ保持枠と前記前枠との間に配置される複数の羽根と、
前記複数の羽根と前記レンズ保持枠との間に配置され、前記複数の羽根を支持する支持板と、
を備え、
前記支持板又は前記複数の羽根は、前記レンズを正面視した場合に、前記光取込口の内側において前記貫通孔を覆っている、
レンズ鏡筒。
【発明の詳細な説明】
【技術分野】
【０００１】
ここに開示される技術は、光学系を備えるレンズ鏡筒に関する。
【背景技術】
【０００２】
従来、固定枠の内側において第１直進枠、回転枠および第２直進枠が内側から順次配置されたレンズ鏡筒が知られている（例えば、特許文献１参照）。第１直進枠は、レンズ鏡筒内に光を取り込むためのレンズを保持している。また、第１直進枠の被写体側には、レンズに対応する光取込口を有する前枠が取り付けられている。
【先行技術文献】
【特許文献】
【０００３】
【特許文献１】特開２０１１−４８３４６号公報
【発明の概要】
【発明が解決しようとする課題】
【０００４】
しかしながら、光軸方向におけるレンズ鏡筒のコンパクト化には余地が残されている。
ここに開示される技術は、上述のような状況に鑑みてなされたものであり、光軸方向においてコンパクト化可能なレンズ鏡筒を提供することを目的とする。
【課題を解決するための手段】
【０００５】
ここに開示されるレンズ鏡筒は、被写体からの光を最初に取り込む少なくとも１枚のレンズと、レンズを保持し、レンズの外周側に形成される少なくとも１つの貫通孔を有する円筒状のレンズ保持枠と、レンズ保持枠の被写体側に配置され、レンズに対応して形成される光取込口を有する前枠と、レンズ保持枠と前枠との間に配置される複数の羽根と、複数の羽根とレンズ保持枠との間に配置され、複数の羽根を支持する支持板と、を備える。支持板又は複数の羽根は、レンズを正面視した場合に、光取込口の内側において貫通孔を覆っている。
【発明の効果】
【０００６】
ここに開示される技術によれば、光軸方向においてコンパクト化可能なレンズ鏡筒を提供することができる。
【図面の簡単な説明】
【０００７】
【図１】デジタルカメラの斜視図
【図２】レンズ鏡筒の斜視図（沈胴状態）
【図３】レンズ鏡筒の斜視図（ワイド状態）
【図４】レンズ鏡筒の分解斜視図
【図５】レンズ鏡筒の模式断面図（沈胴状態）
【図６】レンズ鏡筒の模式断面図（ワイド状態）
【図７】レンズ鏡筒の模式断面図（テレ状態）
【図８】第３移動鏡筒部２３の分解斜視図
【図９】バリア機構の分解斜視図
【図１０】閉状態のバリア機構を示す正面図
【図１１】開状態のバリア機構を示す正面図
【図１２】図１１のＡ−Ａ断面図
【図１３】第１直進枠の後方斜視図
【図１４】第３直進枠の前方斜視図
【図１５】第１直進枠の内周面の展開図
【図１６】第１直進枠の内周面の展開図
【図１７】第４レンズ群枠が係合された固定枠の前方斜視図
【図１８】図１７の範囲Ｘの拡大図
【発明を実施するための形態】
【０００８】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【０００９】
なお、以下の実施形態では、撮像装置としてデジタルカメラを例に挙げて説明する。以下の説明では、横撮り姿勢のデジタルカメラを基準として、被写体側を「前」、被写体の反対側を「後」、鉛直上側を「上」、鉛直下側を「下」、被写体に向かって右側を「右」、被写体に向かって左側を「左」と表現する。横撮り姿勢とは、デジタルカメラの姿勢の一種であり、横撮り姿勢で撮影する場合、横長矩形画像の長辺方向は画像内における水平方向に略一致する。
【００１０】
〈デジタルカメラ１の構成〉
デジタルカメラ１の構成について、図面を参照しながら説明する。図１は、デジタルカメラ１の斜視図である。図２及び図３は、レンズ鏡筒２０の斜視図である。なお、図２では、沈胴状態のレンズ鏡筒２０が図示され、図３では、ワイド状態のレンズ鏡筒２０が図示されている。
【００１１】
デジタルカメラ１は、図１に示すように、筐体１０と、レンズ鏡筒２０と、を備える。
筐体１０は、前板１１と、後板１２と、側板１３と、によって構成される。前板１１には、開口１０Ｓが形成されている。
レンズ鏡筒２０は、３段沈胴式のズーム機構を備える。レンズ鏡筒２０は、非撮影時には筐体１０に収容されており、撮影時には開口１０Ｓから前方に繰り出される。具体的に、レンズ鏡筒２０は、図２及び図３に示すように、第１移動鏡筒部２１と、第２移動鏡筒部２２と、第３移動鏡筒部２３と、固定鏡筒部２４と、を有している。
【００１２】
第１移動鏡筒部２１は、固定鏡筒部２４に対して繰り出し可能である。第２移動鏡筒部２２は、第１移動鏡筒部２１に対して繰り出し可能である。第３移動鏡筒部２３は、第２移動鏡筒部２２に対して繰り出し可能である。固定鏡筒部２４は、筐体１０内に固定される。図３に示すように、レンズ鏡筒２０が繰り出された場合、第１乃至第３移動鏡筒部２１〜２３のうち第３移動鏡筒部２３が最も前方に位置する。
【００１３】
〈レンズ鏡筒２０の詳細構成〉
次に、レンズ鏡筒２０の詳細構成について、図面を参照しながら説明する。図４は、レンズ鏡筒２０の分解斜視図である。
レンズ鏡筒２０の第１乃至第３移動鏡筒部２１〜２３は、光学系の光軸ＡＸに沿って固定鏡筒部２４から繰り出される。光学系には、第１乃至第５レンズ群Ｌ１〜L５が含まれる。なお、以下の説明では、光軸ＡＸに平行な方向を「光軸方向」、光軸方向に垂直な方向を「径方向」、光軸ＡＸを中心とする円に沿った方向を「周方向」と称する。光軸ＡＸは、レンズ鏡筒２０を構成する各枠の軸心と略一致する。
【００１４】
また、本実施形態において、「直進」とは、周方向に回転することなく光軸方向に移動することを意味する。「移動」は、周方向に回転しながら光軸方向に移動することも含む概念である。
レンズ鏡筒２０は、図４に示すように、固定枠１００、マスターフランジ１０５、第１直進枠１１０、第２直進枠１２０、第３直進枠１３０、第１回転枠２１０、第２回転枠２２０、第１化粧枠３１０、第２化粧枠３２０、第２レンズ群枠Ｆ２、第３レンズ群枠Ｆ３、第４レンズ群枠Ｆ４及び第５レンズ群枠Ｆ５を備える。
【００１５】
本実施形態において、固定枠１００及びマスターフランジ１０５は、固定鏡筒部２４を構成している。また、第１直進枠１１０は、第３移動鏡筒部２３を構成し、第３直進枠１３０、第１回転枠２１０及び第２化粧枠３２０は、第２移動鏡筒部２２を構成し、第２直進枠１２０及び第２回転枠２２０は、第１移動鏡筒部２１を構成している。
固定枠１００は、円筒状に形成されている。固定枠１００は、内周面に形成される直進溝ａ１及びカム溝ｂ１を有する。固定枠１００の外周面には、ズームモータ１０１及びズームギア１０２が取り付けられる。ズームモータ１０１は、第１乃至第３移動鏡筒部２１〜２３を繰り出すための駆動源である。ズームギア１０２は、ズームモータ１０１の駆動力を第２回転枠２２０に伝達する。
【００１６】
マスターフランジ１０５は、固定枠１００の後方を覆う板状の樹脂部材である。マスターフランジ２４４の中央には、撮像素子１０３が嵌め込まれている。
第１直進枠１１０は、円筒状に形成され、第１回転枠２１０の外側に２は、後述する第１回転配置されている。第１直進枠１１０は、直進溝ａ２１と、カム突起Ｂ２と、を有する。直進溝ａ２１は、内周面において光軸方向に沿って形成される。カム突起Ｂ２は、内周面の後端部に配置されている。カム突起Ｂ枠２１０のカム溝ｂ２に係合される。また、第１直進枠１１０は、レンズ鏡筒２０内に光を取り込むための第１レンズ群Ｌ１を保持している。第１直進枠１１０には、第１化粧枠３１０が被されている。
【００１７】
第２直進枠１２０は、円筒状に形成され、第１直進枠１１０の内側に配置されている。第２直進枠１２０は、フランジ部１２１と、直進突起Ａ１と、バヨネット突起Ｅ１と、直進突起Ａ３１と、直進溝ａ３２と、カム溝ｂ３と、を有する。フランジ部１２１は、円環状に形成されており、外周面の後端部に立設されている。直進突起Ａ１は、フランジ部１２１の外周面に立設されている。直進突起Ａ１は、固定枠１００の直進溝ａ１に係合される。バヨネット突起Ｅ１は、フランジ部１２１の外周面に立設されている。バヨネット突起Ｅ１は、後述する第２回転枠２２０のバヨネット溝ｅ１に係合される。直進突起Ａ３１は、外周面において光軸方向に沿って形成される。直進突起Ａ３１は、後述する第３直進枠１３０の直進溝ａ３に係合される。直進溝ａ３２は、外周面において直進突起Ａ３１に沿って形成される。直進溝ａ３２には、後述する第３直進枠１３０の直進突起Ａ３２が係合される。カム溝ｂ３は、外周面において光軸方向と交差するように形成される。
【００１８】
第３直進枠１３０は、円筒状に形成され、第２直進枠１２０の内側に配置されている。第３直進枠１３０は、直進突起Ａ２１と、直進突起Ａ２２と、直進突起Ａ３２と、直進溝ａ３１と、バヨネット突起Ｅ２と、貫通溝ｃ１と、貫通溝ｃ２と、を有する。直進突起Ａ２１は、外周面の前端部に立設されている。直進突起Ａ２１は、第１直進枠１１０の直進溝ａ２１に係合される。直進突起Ａ２２は、直進突起Ａ２１と周方向に隣接して配置されている。直進突起Ａ２２は、直進突起Ａ２１とともに直進溝ａ２１に係合される。直進溝ａ２１に対する直進突起Ａ２１及び直進突起Ａ２２の係合状態については後述する。直進突起Ａ３２は、外周面において光軸方向に沿って形成される。直進突起Ａ３２は、第２直進枠１２０の直進溝ａ３２に係合される。直進溝ａ３１は、外周面において直進突起Ａ３２に沿って形成されている。直進溝ａ３１には、第２直進枠１２０の直進突起Ａ３１が係合される。バヨネット突起Ｅ２は、外周面上において周方向に沿って形成されている。バヨネット突起Ｅ２は、後述する第１回転枠２１０のバヨネット溝ｅ２に係合される。貫通溝ｃ１及び貫通溝ｃ２は、内周面から外周面まで枠本体を貫通しており、光軸方向に沿って形成されている。
【００１９】
第１回転枠２１０は、円筒状に形成され、第１直進枠１１０の内側に配置されている。第１回転枠２１０は、バヨネット突起Ｅ３と、直進突起Ａ４と、カム突起Ｂ３と、カム溝ｂ２と、カム溝ｂ４と、カム溝ｂ５と、を有する。バヨネット突起Ｅ３は、外周面の後端部において周方向に沿って形成されている。バヨネット突起Ｅ３は、後述する第２化粧枠３２０のバヨネット溝ｅ３に係合される。直進突起Ａ４は、バヨネット突起Ｅ３の外周面に立設されている。直進突起Ａ４は、後述する第２回転枠２２０の直進溝ａ４に係合される。カム突起Ｂ３は、内周面上に配置される。カム突起Ｂ３は、第２直進枠１２０のカム溝ｂ３に係合される。カム溝ｂ２は、外周面において光軸方向と交差するように形成される。カム溝ｂ４及びカム溝ｂ５は、内周面において光軸方向と交差するように形成される。
【００２０】
第２回転枠２２０は、円筒状に形成され、固定枠１００の内側に配置されている。第２回転枠２２０は、ギア部２２１と、カム突起Ｂ１と、直進溝ａ４と、バヨネット溝ｅ１と、を有する。ギア部２２１は、外周面の後端部において周方向に沿って形成される。ギア部２２１がズームギア２４２に噛合することによって、第２回転枠２２０はズームモータ１０１の駆動力によって周方向に回転される。カム突起Ｂ１は、固定枠１００のカム溝ｂ１に係合される。直進溝ａ４は、内周面において光軸方向に沿って形成される。直進溝ａ４には、第１回転枠２１０の直進突起Ａ４が係合される。バヨネット溝ｅ１は、内周面の後端部において周方向に沿って形成される。バヨネット溝ｅ１には、第１直進枠１１０のバヨネット突起Ｅ１が係合される。
【００２１】
第１化粧枠３１０は、第１直進枠１１０の被写体側、かつ、バリア機構２５（図１〜図４において不図示、図８参照）の被写体側に配置されている。第１化粧枠３１０は、第１直進枠１１０及びバリア機構２５の外周及び前面を覆っている。第１化粧枠３１０には、外部から光を取り込むための開口３１０ａが形成されている。
第２化粧枠３２０は、円筒状に形成され、第１回転枠２１０の外側に配置されている。第２化粧枠３２０は、直進突起Ａ４１と、バヨネット溝ｅ３と、を有する。直進突起Ａ４は、外周面の後端部に立設されている。直進突起Ａ４１は、第２回転枠２２０の直進溝ａ４に係合される。バヨネット溝ｅ３は、内周面の後端部において周方向に沿って形成される。バヨネット溝ｅ３には、第１回転枠２１０のバヨネット突起Ｅ３が係合される。
【００２２】
第２レンズ群枠Ｆ２は、円盤状に形成され、第３直進枠１３０の内側に配置される。第２レンズ群枠Ｆ２は、ズームのために用いられる第２レンズ群Ｌ２を保持している。第２レンズ群枠Ｆ２は、外周面上に立設されるカム突起Ｂ４を有する。カム突起Ｂ４は、第３直進枠１３０の貫通溝ｃ１に挿入されるとともに、第１回転枠２１０のカム溝ｂ４に係合される。
【００２３】
第３レンズ群枠Ｆ３は、円筒状に形成され、第３直進枠１３０の内側に配置される。第３レンズ群枠Ｆ３は、像ぶれ補正用の第３レンズ群Ｌ３を保持する。また、第３レンズ群枠Ｆ３は、シャッター機構を内蔵している。第３レンズ群枠Ｆ３は、外周面上に立設されるカム突起Ｂ５を有する。カム突起Ｂ５は、第３直進枠１３０の貫通溝ｃ２に挿入されるとともに、第１回転枠２１０のカム溝ｂ５に係合される。
【００２４】
第４レンズ群枠Ｆ４は、固定枠１００に支持される。第４レンズ群枠Ｆ４は、合焦のために用いられる第４レンズ群Ｌ４を保持している。第４レンズ群枠Ｆ４と固定枠１００との係合状態については後述する。
第５レンズ群枠Ｆ５は、マスターフランジ１０５に支持される。第５レンズ群枠Ｆ５は、第５レンズ群Ｌ５を保持している。
【００２５】
〈枠どうしの係合〉
図５乃至図７は、レンズ鏡筒２０の断面図である。ただし、図５乃至:図７は、光軸ＡＸを通る複数の切断面が組み合わされた模式図である。なお、図５では、沈胴状態のレンズ鏡筒２０が図示され、図６では、ワイド状態のレンズ鏡筒２０が図示され、図７では、テレ状態のレンズ鏡筒２０が図示されている。
【００２６】
図５に示すように、沈胴状態では、固定枠１００の径方向内側に第２回転枠２２０、第２化粧枠３２０、第１化粧枠３１０、第１直進枠１１０、第１回転枠２１０、第２直進枠１２０及び第３直進枠１３０が順次収納されている。また、沈胴状態において、第３レンズ群Ｌ３が第４及び第５レンズ群Ｌ４，Ｌ５の径方向外側に退避することによって、光軸方向におけるレンズ鏡筒２０のコンパクト化が実現されている。
【００２７】
以下、図６及び図７を参照しながら、枠どうしの係合について説明する。
第２回転枠２２０のギア部２２１は、ズームギア１０２に噛合される（不図示）。第２回転枠２２０のカム突起Ｂ１は、固定枠１００のカム溝ｂ１に係合される。これにより、第２回転枠２２０は、ズームモータ１０１の駆動力によって周方向に回転しながら光軸方向に移動する。
【００２８】
第２直進枠１２０の直進突起Ａ１は、固定枠１００の直進溝ａ１に係合される。第２直進枠１２０のバヨネット突起Ｅ１は、第２回転枠２２０のバヨネット溝ｅ１に係合される。従って、第２直進枠１２０は、第２回転枠２２０とともに光軸方向に直進する。
第１回転枠２１０の直進突起Ａ４は、第２回転枠２１０の直進溝ａ４に係合される。第１回転枠２１０のカム突起Ｂ３は、第２直進枠１２０のカム溝ｂ３に係合される。従って、第１回転枠２１０は、第２回転枠２１０とともに周方向に回転しながら、第２直進枠１２０とともに光軸方向に移動する。
【００２９】
第１直進枠１１０のカム突起Ｂ２は、第１回転枠２１０のカム溝ｂ２に係合される。第１直進枠１１０の直進溝ａ２には、第３直進枠１３０の直進突起Ａ２が係合されている。従って、第１直進枠１１０は、第１回転枠２１０の回転に応じて、光軸方向に直進する。
第３直進枠１３０のバヨネット突起Ｅ２は、第２回転枠２２０のバヨネット溝ｅ２に係合されている。第３直進枠１３０の直進突起Ａ２は、第１直進枠１１０の直進溝ａ２に係合されている。従って、第３直進枠１３０は、第２回転枠２１０とともに光軸方向に直進する。
【００３０】
以上のように、第１回転枠２１０は、カム機構を介して第１直進枠１１０に係合されており、回転することによって第１直進枠１１０を直進させる。また、第２直進枠１２０は、カム機構を介して第１回転枠２１０に係合されており、光軸方向に直進することによって第１回転枠２１０を回転させる。そのため、第２回転枠２２０をズームモータ１０１で回転することによって、第１回転枠２１０を回転させることで第１直進枠１１０を直進させながら、第２直進枠１２０を直進させることで第１回転枠２１０を移動させることができる。その結果、第１乃至第３移動鏡筒部２１〜２３が固定鏡筒部２４からスムーズに繰り出されることとなる。
【００３１】
〈第３移動鏡筒部２３の構成〉
次に、図８を参照しながら、第３移動鏡筒部２３の構成について説明する。図８は、第３移動鏡筒部２３の分解斜視図である。
第３移動鏡筒部２３は、第１直進枠１１０と、第１化粧枠３１０と、バリア機構２５と、を備える。
【００３２】
第１直進枠１１０は、レンズ群保持孔１１０ａと、３つの貫通孔１１０ｂと、を有している。レンズ群保持孔１１０ａは、第１直進枠１１０に形成される被写体側の開口である。レンズ群保持孔１１０ａの内側には、第１レンズ群枠Ｌ１が嵌合されている。貫通孔１１０ｂは、非撮影時において、第１回転枠２１０及び第２直進枠１２０及び第３直進枠１３０の前端部を収容するための孔である。貫通孔１１０ｂに第１回転枠２１０及び第２直進枠１２０及び第３直進枠１３０の前端部を収容することによって、光軸方向におけるレンズ鏡筒２０のコンパクト化が実現されている。  バリア機構２５は、第１直進枠１１０と第１化粧枠３１０の間に配置されている。具体的に、バリア機構２５は、第１直進枠１１０の被写体側、かつ、第１化粧枠３１０の後側に配置されている。バリア機構２５は、レンズ鏡筒２０が非撮影状態である場合に、第１レンズ群Ｌ１の被写体側を覆うことによって、第１レンズ群Ｌ１を保護する。一方で、バリア機構２５は、レンズ鏡筒２０が撮影状態である場合に、第１レンズ群Ｌ１を露出させる。バリア機構２５の詳細な構成については後述する。
【００３３】
〈バリア機構２５の詳細構成〉
次に、図面を参照しながら、バリア機構２５の詳細構成について説明する。図９は、バリア機構２５の分解斜視図である。図１０は、閉状態のバリア機構２５を示す正面図である。図１１は、開状態のバリア機構２５を示す正面図である。図１２は、図１１のＡ−Ａ断面図である。なお、図１０及び図１１では、第１直進枠１１０がバリア機構２５の後方に配置された状態が図示されている。
【００３４】
図９に示すように、バリア機構２５は、一対の外羽根２５１と、一対の中羽根２５２と、一対の内羽根２５３と、カムリング２５４（支持板の一例）と、２個の開きバネ２５５と、２個の閉じバネ２５６と、前カバー２５７と、によって構成される。
一対の外羽根２５１、一対の中羽根２５２及び一対の内羽根２５３（以下、羽根２５１〜２５３と総称する）は、第１直進枠１１０と第１化粧枠３１０の間に配置されている。具体的に、羽根２５１〜２５３は、カムリング２５４の被写体側、かつ、前カバー２５７（前枠の一例）との間に配置される。羽根２５１〜２５３は、レンズ鏡筒２０が非撮影状態である場合には、図１０に示すように閉状態に切り替えられ、第１レンズ群Ｌ１の被写体側を覆う。一方、羽根２５１〜２５３は、レンズ鏡筒２０が撮影状態である場合には、図１１に示すように開状態に切り替えられ、第１レンズ群Ｌ１を露出させる。具体的には、羽根２５１〜２５３は、前カバー２５７の軸に回転自在に保持され、カムリング２５４の回転に連動して、第１レンズ群Ｌ１の被写体側を覆う位置と露出する位置を遷移する。
【００３５】
カムリング２５４は、羽根２５１〜２５３と第１直進枠１１０との間に配置される円板部材である。カムリング２５４は、前カバー２５７に対して回転自在で光軸方向一体となる係合され、かつ羽根２５１〜２５３との当接部を有している。カムリング２５４が前カバー２５７に対して回転すると、回転力が当接部を介して羽根２５１〜２５３に伝わり、羽根２５１〜２５３は、第１レンズ群Ｌ１の被写体側を覆う位置と露出する位置を遷移する。カムリング２５４は、開きバネ２５５を介して前カバー２５７に連結されており、開きバネ２５５は、羽根２５１〜２５３が第１レンズ群Ｌ１の被写体側を露出する位置になるよう、カムリング２５４に前カバー２５７に対する回転力を与える。前カバー２５７は、閉じバネ２５６を介して羽根２５１〜２５３に連結されており、閉じバネ２５６は、羽根２５１〜２５３が第１レンズ群Ｌ１の被写体側を覆う位置になるよう、羽根２５１〜２５３に前カバー２５７の軸に対する回転力を与える。
【００３６】
また、カムリング２５４は、第１開口部２５４ａと、被覆部２５４ｂと、を有している。第１開口部２５４ａは、カムリング２５４の中央に形成されている。第１開口部２５４ａは、第１化粧枠３１０の前カバー２５７の光取込口２５７ａ（図９参照）に対応して形成されている。被覆部２５４ｂは、矩形環状に形成されており、第１開口部２５４ａの内縁を構成している。
【００３７】
前カバー２５７は、羽根２５１〜２５３と第１化粧枠３１０との間に配置される円板部材である。前カバー２５７は、光取込口２５７ａを有する。第１化粧枠３１０の開口３１０ａは、光取込口２５７ａの周囲の凸部に嵌められる。
ここで、図１１に示すように、カムリング２５４の被覆部２５４ｂは、第１レンズ群Ｌ１を正面視した場合に、光取込口２５７ａの内側において、第１直進枠１１０の貫通孔１１０ｂを覆っている。すなわち、図１２に示すように、被覆部２５４ｂと貫通孔１１０ｂとは、光軸方向において重なっており、被覆部２５４ｂは、貫通孔１１０ｂの前方を覆っている。
【００３８】
〈作用及び効果〉
レンズ鏡筒２０は、第１レンズ群Ｌ１（レンズの一例）と、第１直進枠１１０（レンズ保持枠の一例）と、前カバー２５７（前枠の一例）と、羽根２５１〜２５３（複数の羽根の一例）と、カムリング２５４（支持板の一例）と、を備える。第１レンズ群Ｌ１は、被写体からの光を最初に取り込む。第１直進枠１１０は、第１レンズ群Ｌ１を保持し、第１レンズ群Ｌ１の径方向外周側に形成される貫通孔１１０ｂを有する。前カバー２５７は、第１直進枠１１０の被写体側に配置され、第１レンズ群Ｌ１に対応して形成される光取込口２５７ａを有する。カムリング２５４は、第１レンズ群Ｌ１を正面視した場合に、光取込口２５７ａの内側において貫通孔１１０ｂを覆っている。
【００３９】
このように、第１直進枠１１０の貫通孔１１０ｂに第１回転枠２１０などの前端部を収容することによって、光軸方向におけるレンズ鏡筒２０のコンパクト化を図ることができる。また、光取込口２５７ａの内側において貫通孔１１０ｂを覆っているので、レンズ鏡筒２０の内部に不要光が入射することを抑制できる。
【００４０】
〈第１直進枠１１０と第３直進枠１３０との係合状態〉
次に、第１直進枠１１０（第１枠の一例）と第３直進枠１３０（第２枠の一例）との係合状態について、図面を参照しながら説明する。図１３は、第１直進枠１１０の後方斜視図である。図１４は、第３直進枠１３０の前方斜視図である。
【００４１】
図１３に示すように、第１直進枠１１０の内周面１１０Ｓには、直進溝ａ２１と、直進溝ａ２１の一方の側壁に延設された直進凸部１１１と、直進溝ａ２１の他方の側壁を形成するカム凸部１１２と、が形成されている。
直進溝ａ２１は、直進凸部１１１とカム凸部１１２との間に形成されている。直進溝ａ２１には、カム凸部１１２側の側壁の後端部が切り欠かれることによって、第１切り欠き部Ｐ１が形成されている。第１切り欠き部Ｐ１は、カム凸部１１２が内周面の後端に配置されないことによって形成されている。そのため、第１切り欠き部Ｐ１は、直進溝ａ２１の後端部に形成される。また、第１切り欠き部Ｐ１は、壁部１１３の一部によって形成されている。
【００４２】
直進凸部１１１は、光軸方向に沿って形成されている。直進凸部１１１には、光軸方向において第１切り欠き部Ｐ１とは異なる位置で切り欠かれることによって、第２切り欠き部Ｐ２が形成されている。本実施形態において、第２切り欠き部Ｐ２は、直進凸部１１１の前端部に形成されている。
カム凸部１１２は、直進溝ａ２１と連結した壁部１１３を形成している。壁部１１３は、第１回転枠２１０の外周面に形成されるカム溝ｂ２の前端側に沿って移動できるように形成されている。
【００４３】
ここで、第１回転枠２１０の外周面において、カム溝ｂ２は厚肉した領域に形成されている。つまり、カム溝ｂ２の両側面は、厚肉した領域に形成されている。カム溝ｂ２の前端側は、カム溝ｂ２の後端側より薄肉になっている。そのため、カム溝ｂ２における最も後端側の側面を形成する厚肉の領域を、収納状態において、第１切り欠き部Ｐ１に配置することができる。一方、カム溝ｂ２における最も前端側においては、カム溝ｂ２の後端側も薄肉になっている。そのため、カム溝ｂ２における最も前端側の側面を形成する厚肉の領域を、収納状態において、第２切り欠き部Ｐ２に配置することができる。かかる構成により、カム溝ｂ２の長さを確保しながら、光軸方向の厚みを小さくできる。また、厚肉にしたカム溝ｂ２の側面に沿って、壁部１１３を形成しているので、落下強度も向上できる。
【００４４】
図１５及び図１６は、第１直進枠１１０の内周面１１０Ｓの展開図の一部である。図１５では、収納時における第３直進枠１３０の直進突起Ａ２１，Ａ２２の位置が模式的に図示されている。図１６では、撮影時における第３直進枠１３０の直進突起Ａ２１，Ａ２２の位置が模式的に図示されている。
直進突起Ａ２１（第１突起の一例）は、直進溝ａ２１に沿って光軸方向に進退可能である。直進突起Ａ２１は、光軸方向において直進突起Ａ２２（第２突起の一例）と重なる位置において、直進溝ａ２１と係合されている。
【００４５】
直進突起Ａ２２（第２突起の一例）は、直進突起Ａ２１との間に直進凸部１１１を挟み込むことで、直進凸部１１１に沿って光軸方向へ進退可能である。直進凸部１１１は、光軸方向において第１切り欠き部Ｐ１と重なる位置では、直進突起Ａ２１および直進突起Ａ２２に係合されている。
【００４６】
〈作用及び効果〉
直進突起Ａ２１は、直進溝ａ２１に沿って光軸方向に進退可能であり、直進突起Ａ２２は、直進突起Ａ２１との間に直進凸部１１１を挟み込むことで、直進凸部１１１に沿って光軸方向へ進退可能である。
従って、第１直進枠１１０の光軸方向の厚みを薄くしたことによって直進溝ａ２１と壁部１１３とが交差しても、第３直進枠１３０との直進結合を維持することができる。そのため、レンズ鏡筒２０の厚みを薄くすることができる。
上記特徴を以下に附記しておく。
【００４７】
（１）レンズ鏡筒は、内周面に直進溝と前記直進溝の一方の側壁に延設された直進凸部とを有する第１枠と、前記第１枠の内側に配置され、前記直進溝と係合される第１突起と前記第１突起と周方向で並んで配設された第２突起とを有する第２枠と、を備える。前記第１突起は、前記直進溝に沿って光軸方向へ進退可能である。前記第２突起は、前記第１突起との間に前記直進凸部を挟み込むことで、前記直進凸部に沿って光軸方向へ進退可能である。
【００４８】
（２）上記レンズ鏡筒において、前記直進溝は、他方の側壁に一部が切り欠かれた第１切り欠き部を有し、前記直進凸部は、光軸方向において前記第１切り欠き部とは異なる位置に一部が切り欠かれた第２切り欠き部を有していてもよい。そして、前記第１突起は、光軸方向において前記第２切り欠き部と重なる位置では、前記直進溝と係合され、前記直進凸部は、光軸方向において前記第１切り欠き部と重なる位置では、前記第１突起および前記第２突起に係合されていてもよい。
【００４９】
（３）上記レンズ鏡筒は、さらに、前記第２枠の内側に外周面にカムフォロアを有し、前記第１枠および前記第２枠に対して回転する回転枠を備えていてもよい。前記第１枠は、内周面に前記カムフォロアに係合されるカム溝を有し、前記カム溝の一部は、前記第１切り欠き部または前記第２切り欠き部の少なくとも一方を形成していてもよい。
【００５０】
（４）上記レンズ鏡筒において、前記第１枠は、内周面にバヨネット溝を有し、前記第２枠は、外周面に前記バヨネット溝と係合されるバヨネット突起を有していてもよい。前記バヨネット溝の一部は、前記第１切り欠き部または前記第２切り欠き部の少なくとも一方を形成していてもよい。
【００５１】
〈固定枠１００及び第４レンズ群枠Ｆ４との係合〉
次に、固定枠１００及び第４レンズ群枠Ｆ４との係合状態について、図面を参照しながら説明する。図１７は、第４レンズ群枠Ｆ４が係合された固定枠１００の前方斜視図である。図１８は、図１７の範囲Ｘの拡大図である。
図１７及び図１８に示すように、固定枠１００は、内周面１００Ｓに形成されたカム溝１０１と直進溝１０２とを有する。カム溝１０１は、固定枠１００の軸心を中心とする周方向に沿って直線状に形成される。直進溝１０２は、光軸方向に沿って直線状に形成される。直進溝１０２の前端は、カム溝１０１と交差している。
【００５２】
ここで、図１８に示すように、固定枠１００は、直進溝１０２内において光軸方向と平行に延伸する軸体１０３を保持している。また、第４レンズ群枠Ｆ４は、軸体１０３と係合される軸受け部２０１を保持している。軸受け部２０１には、軸体１０３が挿通されており、これによって、第４レンズ群枠Ｆ４は、軸体１０３に沿って進退可能である。
また、図１８に示すように、カム溝１０１は、軸受け部２０１の移動範囲と径方向で重なる位置に形成された逃げ部１０１ａを有する。軸受け部２０１は、カム面２０１ａと、一対の誘い面２０１ｂ，２０１ｃと、を有している。カム面２０１ａは、軸受け部２０１が逃げ部１０１ａに配置されたときに、カム溝１０１の側面と略同一面となる。一対の誘い面２０１ｂ，２０１ｃは、カム面に対してカム溝１０１の溝中心から外方へ傾斜している。
【００５３】
〈作用及び効果〉
カム溝１０１が直進溝１０２と交差しているので、第４レンズ群枠Ｆ４の軸受け部２０１をカム溝１０２に重なる位置まで設けることができる。そのため、第４レンズ群枠Ｆ４のストロークを大きくしてもレンズ鏡筒２０の径が大きくなることを抑制できる。また、一対の誘い面２０１ｂ，２０１ｃが形成されているので、カムフォロアのスムーズな駆動も維持することができる。
【００５４】
上記特徴を以下に附記しておく。
レンズ鏡筒は、光軸方向へ延伸した軸体を保持し、内周面にカム溝（補助カム溝）を有する枠体（固定枠）と、前記軸体と係合される軸受け部を有し、前記軸体に沿って進退する移動枠（４群枠）と、を備える。前記カム溝は、前記軸受け部の移動範囲と径方向で重なる位置に逃げ部を有する。前記軸受け部は、前記逃げ部に配置されたときに前記カム溝の側面と略同一面となるカム面と前記カム面に対し前記カム溝の溝中心から外方へ傾斜する誘い面とを有している。
【００５５】
（その他の実施形態）
（Ａ）上記実施形態において、レンズ鏡筒２０は、第３直進枠１３０を備えることとしたが、第３直進枠１３０を備えていなくてもよい。
（Ｂ）上記実施形態において、第２直進枠１２０は、第１回転枠２１０の内側に配置されることとしたが、これに限られるものではない。第２直進枠１２０は、第１回転枠２１０の外側に配置されていてもよい。すなわち、第２直進枠１２０は、第１直進枠１１０の内側に配置されていればよい。
【００５６】
（Ｃ）上記実施形態において、レンズ鏡筒２０は、第１乃至第５レンズ群Ｌ１〜Ｌ５を備えることとしたが、これに限られるものではない。レンズ鏡筒２０は、少なくとも第１レンズ群Ｌ１を備えていればよい。
（Ｄ）上記実施形態において、レンズ鏡筒２０は、３段沈胴式のズーム機構を備えることとしたが、これに限られるものではない。レンズ鏡筒２０は、３段以上の沈胴機構を有していてもよい。
【００５７】
（Ｅ）上記実施形態では、２つの枠のうち一方の枠にカム溝ｂが形成され、他方の枠にカム突起Ｂが形成されているが、これに限られるものではない。２つの枠のうち一方の枠にカム突起Ｂが形成され、他方の枠にカム溝ｂが形成されていてもよい。また、２つの枠のそれぞれにカム溝ｂとカム突起Ｂとが形成されていてもよい。
（Ｆ）上記実施形態では、２つの枠のうち一方の枠に直進溝ａが形成され、他方の枠に直進突起Ａが形成されているが、これに限られるものではない。２つの枠のうち一方の枠に直進突起Ａが形成され、他方の枠に直進溝ａが形成されていてもよい。また、２つの枠のそれぞれに直進溝ａと直進突起Ａとが形成されていてもよい。
【００５８】
（Ｇ）上記実施形態では、２つの枠のうち一方の枠にバヨネット溝ｅが形成され、他方の枠にバヨネット突起Ｅが形成されているが、これに限られるものではない。２つの枠のうち一方の枠にバヨネット突起Ｅが形成され、他方の枠にバヨネット溝ｅが形成されていてもよい。また、２つの枠のそれぞれにバヨネット溝ｅとバヨネット突起Ｅとが形成されていてもよい。
【００５９】
（Ｈ）上記実施形態では、第３レンズ群Ｌ３が第４及び第５レンズ群Ｌ４，Ｌ５の径方向外側に退避することとしたが、これに限られるものではない。第３レンズ群Ｌ３は、沈胴状態において第４及び第５レンズ群Ｌ４，Ｌ５の前方に配置されてもよい。
（Ｉ）上記実施形態では、光取込口を有する前枠の一例として、光取込口２５７ａを有する前カバー２５７について説明したが、これに限られるものではない。例えば、レンズ鏡筒２０が前カバー２５７を備えていない場合には、開口３１０ａを有する第１化粧枠３１０が前枠の一例となりうる。
【００６０】
（Ｊ）上記実施形態では、バリア機構２５のうちカムリング２５４が光取込口２５７ａの内側において貫通孔１１０ｂを覆うこととしたが、これに限られるものではない。例えば、バリア機構２５のうち羽根２５１〜２５３が貫通孔１１０ｂを覆うこととしてもよい。この場合には、羽根２５１〜２５３のうち少なくとも１つの羽根の開状態における位置を調整すればよい。
【符号の説明】
【００６１】
１    …デジタルカメラ
１０  …筐体
２０  …レンズ鏡筒
２１  …第１移動鏡筒部
２２  …第２移動鏡筒部
２３  …第３移動鏡筒部
２４  …固定鏡筒部
２５  …バリア機構
１００…固定枠
１１０…第１直進枠
１０１…ズームモータ
１０２…ズームギア
１２０…第２直進枠
１３０…第３直進枠
２１０…第１回転枠
２１１…ギア部
２２０…第２回転枠
３１０…第１化粧枠
３１０ａ…開口
３２０…第２化粧枠
２５１〜２５３…羽根
２５４…カムリング
２５４ａ…第１開口部
２５４ｂ…被覆部
２５５…開きバネ
２５６…閉じバネ
２５７…前カバー
２５７ａ…光取込口
Ｆ２〜Ｆ５…第２乃至第５レンズ群枠
Ｌ１〜Ｌ５…第１乃至第５レンズ群
ａ  …直進溝
Ａ  …直進突起
ｂ  …カム溝
Ｂ  …カムフォロア
ｃ  …貫通溝
ｅ  …バヨネット溝
Ｅ  …バヨネット突起
【図１】
2015083996.tif 000003
【図２】
2015083996.tif 000004
【図３】
2015083996.tif 000005
【図４】
2015083996.tif 000006
【図５】
2015083996.tif 000007
【図６】
2015083996.tif 000008
【図７】
2015083996.tif 000009
【図８】
2015083996.tif 000010
【図９】
2015083996.tif 000011
【図１０】
2015083996.tif 000012
【図１１】
2015083996.tif 000013
【図１２】
2015083996.tif 000014
【図１３】
2015083996.tif 000015
【図１４】
2015083996.tif 000016
【図１５】
2015083996.tif 000017
【図１６】
2015083996.tif 000018
【図１７】
2015083996.tif 000019
【図１８】
2015083996.tif 000020